(57)【要約】【課題】携帯通信端末が有する機能を傾き検出によって実行する操作方法があるが、携帯されている携帯通信端末はさまざまな方向に傾き、そのつど生じる傾き変化によって機能が誤操作される可能性があった。【解決手段】所定の傾斜角度の変化を読み取る傾斜センサから出力される傾斜信号と、振動の有無を検知し、一定時間振動がない状態を検知する振動センサから出力される振動信号を受けて、ＯＮ／ＯＦＦ判定部は、端末の傾斜角度の変化により機能を実行、あるいは制御を行うかを判定する判定信号を出力する。この判定信号と、その他の前記携帯通信端末の形状及び動作に関する情報とから、端末が有するさまざまな機能の実行及び制御を行うことが可能となり、入力部を介さず的確な操作を行うことが可能となる。【選択図】      図１
2007201787.tif 000002
【特許請求の範囲】
【請求項１】
傾きを検知し、所定の傾きの変化が生じたときに傾斜信号を出力する傾斜センサと、
所定の振動を検知し、所定時間の静止状態を判別したときに振動信号を出力する振動センサと、
前記傾斜信号と前記振動信号に基づいて携帯通信端末の傾斜及び静止状態を判定し判定信号を出力する判定部と、
前記判定信号に応じて、予め設定された特定の機能を実行する制御部とを含むことを特徴とする携帯通信端末。
【請求項２】
前記特定の機能を登録するメモリをさらに有することを特徴とする前記請求項１に記載の携帯通信端末。
【請求項３】
バックライトを有する表示部を含み、前記判定信号に基づいて、前記制御部は前記表示部のバックライトを点灯することを特徴とする前記請求項１乃至２のいずれか１項に記載の携帯通信端末。
【請求項４】
前記携帯通信端末は、さらに端末の形態を検知する形態検知センサを有し、前記形態検知センサより出力される形態検知信号を受けた前記制御部は、前記判定信号と組み合わせて実行される機能を登録した前記メモリの設定内容に対応させて、特定の機能を実行することを特徴とする前記請求項２乃至３のいずれか１項に記載の携帯通信端末。
【請求項５】
複数の表示部を含み、前記判定信号及び前記形態検知信号に基づいて、前記制御部は、前記複数の表示部から、制御を行う表示部を選択して点灯することを特徴とする前記請求項４に記載の携帯通信端末。
【請求項６】
前記携帯通信端末は、さらに端末の動作状態を検知する状態検知手段を有し、前記状態検知手段より通知される前記携帯通信端末の実行中の機能情報を受けた前記制御部は、前記判定信号及び前記形態検知信号と前記通知情報の組み合わせにより決定される機能情報を格納した前記メモリの設定内容に対応させて、前記特定の機能を実行することを特徴とする前記請求項４乃至５のいずれか１項に記載の携帯通信端末。
【請求項７】
前記制御部は、さらに前記通知情報に基づいて、前記選択された前記表示部に対応させて、表示内容を異ならせることを特徴とする前記請求項６に記載の携帯通信端末。
【請求項８】
傾きを検知し、所定の傾きの変化が生じたときに傾斜信号を出力する傾斜センサと、
所定の振動を検知し、所定時間の静止状態を判別したときに振動信号を出力する振動センサが出力した信号を判定する判定手段を有する携帯通信端末の機能制御方法において、前記傾斜センサが所定の傾きを検知し傾斜信号を出力し、前記振動センサが所定時間の静止状態を検知し振動信号を出力し、前記傾斜信号と前記振動信号を受けて判定信号の出力可否を決定する判定手段より前記判定信号を出力し、前記判定信号に基づいて、予め携帯通信端末内に設定された機能を実行することを特徴とする傾斜検出による機能制御方法。
【請求項９】
前記設定される機能は、前記携帯通信端末の記憶手段に格納されることを特徴とする前記請求項８に記載の傾斜検出による機能制御方法。
【請求項１０】
前記設定される機能とは、前記携帯通信端末が有する表示部のバックライトの点灯であることを特徴とする前記請求項８乃至９のいずれか１項に記載の傾斜検知による端末機能制御方法。
【請求項１１】
前記傾斜検出による機能制御方法は、さらに前記携帯通信端末の形態を検知可能な形態検知センサを有し、前記形態検知センサから出力される形態検知信号と前記判定信号との出力内容の組合せにより、実行する機能を決定することを特徴とする前記請求項８乃至１０のいずれか１項に記載の傾斜検出による機能制御方法。
【請求項１２】
前記傾斜検出による機能制御方法は、前記形態検知信号と前記判定信号の出力内容に応じて、前記携帯通信端末が有する複数の表示部から、制御を行う表示部を選択して点灯することを特徴とする前記請求項１１に記載の傾斜検出による機能制御方法。
【請求項１３】
前記機能制御方法は、さらに前記携帯通信端末の実行している機能を検知可能な状態検知手段を有し、前記状態検知手段により、前記選択された前記表示部に対応させて、表示内容を異ならせることを特徴とする前記請求項１２に記載の傾斜検出による機能制御方法。
【発明の詳細な説明】
【技術分野】
【０００１】
本発明は、携帯通信端末の前後左右の傾斜角度を検知、及び携帯通信端末の振動の程度を検知し、所定の振動以下、かつ所定の角度に傾けられたとき、それをキーとして、表示部のバックライトをオンにする、または時計表示、受信メールの情報などを表示することを可能にするＬＣＤバックライト自動発光機能付携帯通信端末に関する。
【背景技術】
【０００２】
従来の携帯通信端末では、省電力設計のため、ＬＣＤ表示部のバックライトは一定期間後にオフとなり、視認困難となる。
【０００３】
そのため、時計などを確認するために携帯通信端末のバックライトをオンにする場合、ユーザは、折り畳み型携帯通信端末では筐体を開く、もしくはスライド型携帯通信端末では、筐体をスライドさせる、もしくは携帯通信端末の所定のボタンを押下するなどの必要があった。
【０００４】
しかしながら、携帯通信端末の小型化に伴い、キー入力部も小型化されており、少ない操作数で所望する機能を実現させる工夫がなされてきている。当然ながら、バックライトのオン制御に関してもさらに操作性の向上が求められている。
【０００５】
そこで、上述の操作を省略した操作方法としては、表示部とキーボタン部分の照明を、携帯型無線電話機の傾きによって、点灯させる電話機が開示されている（特許文献１：特開平１１−７５２４０号公報参照）。
【０００６】
また、携帯型無線電話機が単純に所定の角度に傾斜したときにバックライトをオンにする制御を行った場合、例えばユーザが、携帯型無線電話機を保持しながら移動した場合や、かばんの中から携帯型無線電話機を取り出した場合にも、携帯型無線電話機はその所定の角度になりやすく、従ってバックライトも、頻繁にオンになる可能性がある。
【０００７】
その点を改善させた技術として、腕時計のバックライト点灯方法がある。（特許文献２：特開平１１−７３８３１号公報参照）。
【０００８】
この電子機器の場合、バックライトをオンにさせる場合、ユーザは電子機器をユーザ側に傾ける動作を行う。
【０００９】
この操作により、球状導電体の略４分割形態の電極を有する電子機器の時計の表示部が、１２時側が上になった場合、球状導電体が傾斜面を転がり、所定の電極と接触収納し、これにより電極が導電体と接続し、バックライトがオンになる。
【００１０】
この電子機器のバックライト点灯方法の技術では、点灯のためには、前述の所定の角度になることに加え、さらに、一定時間以上、同じ角度に保たれることを条件とする。
【００１１】
この状態を検知した場合、前述の電子機器は、バックライトをオンにし、現在時刻を音声にて通知する機能を実行する。
【００１２】
【特許文献１】特開平１１−７５２４０号公報
【特許文献２】特開平１１−７３８３１号公報
【発明の開示】
【発明が解決しようとする課題】
【００１３】
携帯通信端末は、常に携帯通信端末の傾斜位置が変化しており、従来技術のように、所定の傾きにおいてバックライトをオンにする場合、ユーザが移動時や、携帯通信端末をかばんから取り出すときの動作などで、頻繁にバックライトが点灯してしまうことになる。
【００１４】
また、前述の傾き検知手段は、地上に対し、一定角度に傾いた場合であるため、ユーザが横になった状態など、さまざまな姿勢で用いることを特徴とする携帯通信端末に、従来の技術に用いられている傾きセンサをそのまま適用すると、かえって不便を招く可能性がある。
【００１５】
本発明は上記の事情に鑑みてなされたものであり、その目的は、あらゆる姿勢で用いられる可能性のある携帯通信端末の諸機能を実行するための操作をより簡単にするものである。
【００１６】
近年の携帯通信端末に見られる、自動消灯や表示部表示の制限などの省電力化設計がなされた携帯通信端末に対して、入力部を介した入力操作などの動作を用いずに、携帯通信端末を傾けるだけで制御可能になれば、携帯通信端末に対してさらに最低限の表示部表示を行うような設計を適用しやすくなり、省電力設計の携帯通信端末を提供しやすくなることも目的の一つである。
【課題を解決するための手段】
【００１７】
本発明の携帯通信端末は、傾きを検知し、所定の傾きの変化が生じたときに傾斜信号を出力する傾斜センサと、所定の振動を検知し、所定時間の静止状態を判別したときに振動信号を出力する振動センサと、前記傾斜信号と前記振動信号に基づいて携帯通信端末の傾斜及び静止状態を判定し判定信号を出力する判定部と、前記判定信号に応じて、予め設定された特定の機能を実行する制御部とを含むことを特徴とする携帯通信端末を提供する。
【００１８】
また、傾きを検知し、所定の傾きの変化が生じたときに傾斜信号を出力する傾斜センサと、
本発明の携帯通信端末は、所定の振動を検知し、所定時間の静止状態を判別したときに振動信号を出力する振動センサが出力した信号を判定する判定手段を有する携帯通信端末の機能制御方法において、前記傾斜センサが所定の傾きを検知し傾斜信号を出力し、前記振動センサが所定時間の静止状態を検知し振動信号を出力し、前記傾斜信号と前記振動信号を受けて判定信号の出力可否を決定する判定手段より前記判定信号を出力し、前記判定信号に基づいて、予め携帯通信端末内に設定された機能を実行することを特徴とする傾斜検出による機能制御方法を提供する。
【発明の効果】
【００１９】
本発明の効果は、ユーザが携帯通信端末の有する特定の情報を閲覧したいとき、または確認したいときに、あらゆる姿勢からでも携帯通信端末の状態を変化させるだけでその情報を得ることが可能となることである。
【００２０】
また、傾斜センサに加え、振動センサ、及び形態検知センサを有することで、ユーザが移動中、静止している携帯通信端末を手に取る動作など、携帯通信端末ならではの環境の下で、確実に携帯通信端末の状態を検知することが可能となる。
【発明を実施するための最良の形態】
【００２１】
本発明の実施の形態について図面を用いて詳細に説明する。
【００２２】
図１は、本発明の実施の形態における携帯通信端末１（以下、端末と称す。）の構成の例を示すブロック図である。なお、図１に示される端末１は、折畳み型端末としているが、本発明の端末１は、スライド型端末や二軸回転ヒンジを有する端末、あるいはストレート型端末など、いずれの形態を取ってもかまわない。
【００２３】
図１において、端末１の有する機能を制御する制御部２と、アンテナ３ａを介して、図示しない無線回路網に接続可能な無線通信部３と、端末１の制御部２が後述する信号類に応じて実行する機能の制御内容や、その他の情報などについて記憶するメモリ４と、端末１を操作するための入力部５と、受信したメール情報などを表示可能な表示部６と、表示部６を視認容易に点灯するバックライト７とを含む。
【００２４】
端末１は、さらに端末１の状態に応じて諸機能を実行するために用いるセンサ８として、端末１の傾きの変化を検知可能な傾斜センサ８ａ、ある一定以上の揺れ、及び一定期間の揺れの有無を検知可能な振動センサ８ｂを有する。また、それぞれのセンサから出力される傾斜信号ａと振動信号ｂ、及び判定信号ｃの出力方向を示す電気信号も図示する。
【００２５】
傾斜センサ８ａは、図２（ａ）及び（ｂ）に図示されるように、随時、端末１の傾きの変化を筐体面に対して、長軸を回転軸として第１の面からα°回転した場合（これを傾きの変化という）と、短軸を回転軸として第１の面からβ°回転した場合（これを傾きの変化という）の二つの成分に分解して検知する。ここで第１の面とは、端末１を傾ける動作の前の状態における端末１の表面の位置を表わす。したがって、第１の面は色々な角度の状態がある。それぞれの傾きの変化を検知した傾斜センサ８ａは、端末１が状態Ａであることを示す傾斜信号ａとして判定部９に出力する。傾き変化の検出のための所定の角度α°、β°として、複数の角度を設定可能であり、ユーザの使用形態に合わせて任意に設定変更可能である。
【００２６】
また、振動センサ８ｂは、定期的に端末１の振動の有無を監視し、端末１の状態が、ユーザが静止している状態のレベルとみなされる一定の揺れの範囲内に収まり（ここでは、３次元方向に１ｃｍ内の範囲とする）、かつその範囲内の状態が一定期間続いた場合（ここでは、約１秒とする。）、端末１が状態Ｂであることを示す振動信号ｂを判定部９に対して出力する。
【００２７】
なお、傾き信号ａを出力するための傾きの変化の程度、及び振動信号ｂを出力するための閾値は、ユーザが任意に設定可能であり、また判定信号ｃが出力された場合の実行する機能も、ユーザが端末１の有する機能の中で任意に設定可能である。
【００２８】
図３は、傾斜センサが検知するα°とβ°それぞれが所定の角度になったときに出力される信号とそれに伴って出力される傾斜センサ８ａの傾斜信号ａと、振動信号ｂの出力条件の一覧、及びそれぞれの出力にしたがって決定される判定信号ｃの有無の一覧を示す図である。判定部９は、この図３に示す内容に従って、傾斜信号ａと振動信号ｂから判定信号ｃを決定し、制御部２に対して出力する。なお、図３に示される「１」は信号を出力していることを示し、「０」は出力がない状態を示す。
【００２９】
この判定信号ｃが出力されるまでのフローを図４に図示して説明する。
【００３０】
まず、判定部９は、状態Ａであることを示す傾斜センサ８ａから出力される状態Ａであることを示す傾斜信号ａの出力有無を確認し（ステップ４１）、状態Ａにおける約１秒の静止状態を検知した振動センサ８ｂは、端末１の状態が、状態Ｂにあるとみなし、判定部９に対し、状態Ｂであることを示す振動信号ｂを出力する（ステップ４２）。
【００３１】
判定部９は、傾斜信号ａ、振動信号ｂを受けたとき、ＯＮ／ＯＦＦ判定を行い、判定結果として判定信号ｃを制御部２に出力する（ステップ４３）。すなわち、この判定信号ｃとは、ユーザが端末１を傾けること（実際は傾きの変化を与えること）で、機能実行または機能制御を行おうとする状態であることを伝える信号である。
【００３２】
傾斜信号ａ及び振動信号ｂを検知できなかった場合には（ステップＳ４１、Ｓ４２のＮｏ）、再びそれらの信号の出力有無を監視する状態に戻る。
【００３３】
ここで、本発明の第１の実施の形態として、たとえば端末１の傾きの変化を検知してバックライト７を点灯する機能を実行する制御について図１を用いて説明する。
【００３４】
制御部２へ判定信号ｃが出力され、この信号入力に伴って制御部２によってバックライト７の点灯が制御される場合について説明する。
【００３５】
図５は、本発明の第１の実施の形態の端末１に搭載されるメモリ４の設定内容を示す図である。メモリ４は、判定信号ｃの出力内容１００とそれに応じた制御部２の実行内容１０１を格納している。なお、出力内容１００は、「１」は判定信号ｃを出力していることを示し、「０」は出力がない状態を示す。
【００３６】
図６は、本発明の第１の実施の形態における端末１のバックライト点灯に関するフローチャートである。
【００３７】
まず、ユーザは消灯状態となった端末１のバックライト７を点灯させるため、端末１を第１の面から傾けることで傾斜角度を変化させて、状態Ａにして静止させる。これにより判定部９は判定信号ｃを出力する。
【００３８】
制御部２はこの判定信号ｃを受けたかを検知し（ステップ６１）、受けた場合にはメモリ４（図５）を参照して、実行する機能の有無を確認する（ステップ６２）。受けなかった場合には、再び判定信号ｃを監視する状態に戻る。
【００３９】
また、受けた場合でも、実行する機能が特にメモリ４に記録されていない場合は、再び判定信号ｃを監視する状態に戻る。
【００４０】
ここで図５に図示されている通り、メモリ４には、判定信号ｃがある場合（ｃ＝１）にはバックライト７を点灯する設定が格納されており、制御部２は端末１のバックライト７の点灯を行う（ステップ６３）。
【００４１】
本発明の第１の実施の形態の端末１では、第１の面から所定の角度に傾けることで傾斜角度が変化し、かつ一定時間以上静止した状態では、予め設定された特定の機能を実行する制御部２を有する。
【００４２】
これによりたとえば、ユーザがメモリ４において、端末１のバックライト点灯を設定していた場合には、前述の通り、所定の条件の下で、端末１の入力部５への入力操作を要せずに、バックライト７を点灯することが可能となる。
【００４３】
続いて、本発明の第２の実施の形態の端末１１について説明する。
【００４４】
この形態検知信号ｄを追加した図７は、本発明の第２の実施の形態の端末１２の制御部２１への電気信号の入出力内容を示すブロック図である。
【００４５】
この端末１１は、第１の実施の形態の端末１と同様に、アンテナ３１ａを介して、図示しない無線回路網に接続可能な無線通信部３１と、端末１の制御部２１が後述する信号類に応じて実行する機能の制御内容や、その他の情報などについて記憶するメモリ４１と、端末１１を操作するための入力部５１とを有する。
【００４６】
しかし、図７に示されるとおり、本発明の第２の実施の形態の端末１１は、センサ８１からＯＮ／ＯＦＦ判定部９１出力する信号は、傾斜信号ａのほかに、変形可能な端末１１の形態を検知する形態検知センサ８１ｃから出力される形態検知信号ｄが加わる。さらに表示部６１は、折畳み型端末１の有する閉状態の内側に面する主表示部６１ａと閉状態時に外側に面する背面表示部６１ｂと、それぞれの表示部の視認性を向上させるためのバックライト７１を含む。このバックライト７１は、制御部２１のバックライト点灯の制御内容に対応して、それぞれ主表示部６１ａを点灯するバックライト７１ａ、背面表示部６１ｂを点灯するバックライト７１ｂを有する。
【００４７】
形態検知センサ８１ｃは定期的に端末１１の形態を検知し、形態検知信号ｄを制御部２１に出力する。ここでは端末１１の形状は折畳み型端末としているため、形態検知信号ｄは、閉状態であるか開状態であるかを示す情報を含む。
【００４８】
また、ここではＯＮ／ＯＦＦ判定部９１は、制御部２１へ判定信号ｃと形態検知信号ｄを出力すると、制御部２１は、バックライト７１の点灯制御の信号を出力するため、図７では、その信号の入出力状態についても図示している。
【００４９】
図８は本発明の第２の実施の形態の端末１１のメモリ４１の記録内容を示す図である。図８において、メモリ４１は判定信号ｃを受けて実行する機能１０４について、判定信号ｃの内容１０２と形態検知信号ｄの内容１０３に対応させて記録している。
【００５０】
ここでは端末１１の形態は折畳み型端末としているため、形態検知信号ｄは、「１」を出力した場合は、開状態を、「０」を出力した場合は閉状態を示すことになる。なお、形態検知信号ｄは、端末１の形態がスライド型携帯端末の場合は、縮退状態であるか展開状態であるかを検知する情報を含むなど、その他のさまざまな形態を取る端末１１にも対応できる情報を含むことが可能である。
【００５１】
図９は、このメモリ４１の設定内容と、形態検知信号ｄを用いて、バックライト点灯の有無を決定するフローを示す図である。制御部２１は、判定信号ｃの出力内容を監視し（ステップ９１）、「１」が出力されている場合には、次に形態検知センサ８１ｃより定期的に出力される形態検知信号ｄの内容を確認する（ステップ９２）。「０」が出力されている場合には、再び判定信号ｃを監視する状態に戻る。
【００５２】
ここで、制御部２１は、形態検知センサ１１が検知して出力した形態検知信号ｄの内容を確認する（ステップ９２）。このとき、形態検知信号ｄの示した情報が、端末１１が閉状態を示す「０」を出力した場合、メモリ４１を参照して、実行機能の有無を確認する（ステップ９３ｂ）。
【００５３】
次に実行機能として、メモリ４１に背面表示部６１ｂのバックライト７１ｂの点灯実行が設定されているため、制御部２１は、その内容に従い点灯する（ステップ９４ｂ）。
【００５４】
逆に形態検知信号ｄが開状態を示す「１」を出力した場合、制御部２１は、メモリ４１を参照して、実行機能の有無を確認したあと（ステップＳ９３ａ）、メモリ４１に設定内容が記憶されている場合には、制御部２１は主表示部６１ａのバックライト７１ａを点灯する（ステップ９４ａ）。ステップ９３ａ及びステップ９３ｂでは制御部２１は、共に実行する機能がメモリ２に設定されているかを確認するが、特に設定されている機能がなければ、再び判定信号ｃを監視する状態に戻る（ステップ９３ａとステップ９３ｂのｎｏ）。
【００５５】
この本発明の第２の実施の形態の端末１１では、端末１１の形態に応じて不必要な表示部６１に対する点灯を防ぐため、第１の実施の形態の端末１１の操作性を向上させるとともに、省電力化を図ることが可能となる。
【００５６】
また、さらに端末１２で実行されている機能を定期的に把握可能な状態検知部２２ａを制御部２２内に追加した場合の実施の形態を、本発明の第３の実施の形態として説明する。
【００５７】
図１０は本発明の第３の実施の形態の端末１２の構成を示すブロック図である。
【００５８】
この端末１２は、第１の実施の形態の端末１と同様に、アンテナ３２ａを介して、図示しない無線回路網に接続可能な無線通信部３２と、端末１の制御部２２が後述する信号類に応じて実行する機能の制御内容や、その他の情報などについて記憶するメモリ４２と、端末１２を操作するための入力部５２とを有する。
【００５９】
それに加えて、制御部２２が、さらに現在の端末１２の実行機能などの状態を検知する状態検知部２２ａを有し、前述の判定信号ｃと形態検知信号ｄの情報を加えた上で、実行する機能の内容を決定する。
【００６０】
ここでは、実行する機能として、受信メールの表示機能の制御を行うときの例を用いて図１１、図１２を用いて説明しているが、端末１２が実行可能な機能であればメール着信のみに限らない。
【００６１】
図１１は、本発明の第３の実施の形態の端末１１のメモリ４２の記録内容を示す図である。メモリ４２は判定信号ｃを受けて実行する機能１０８の情報を、判定信号ｃの出力内容１０５と形態検知信号ｄの出力内容１０６、及び状態検知部２２ａから通知される情報１０７に対応させて格納している。
【００６２】
端末１２の形態は折畳み型端末としているため、形態検知信号ｄが「１」を出力した場合は開状態を、「０」を出力した場合は閉状態を示しているが、形態検知信号ｄは、端末１の形態がスライド型携帯端末の場合は、縮退状態であるか展開状態であるかを検知する情報を含むなど、その他のさまざまな形態を取る端末１１にも対応できる情報を含むことが可能である。
【００６３】
また、状態検知部１０７から通知される情報は、現在の端末１２上で実行されている機能の情報を含むが、図１１においては、待ち受け画面表示以外のその他の実行機能については「他の機能の実行中」として省略している。
【００６４】
制御部２２は、状態検知部２２ａより現在実行される機能を把握し、それに基づいて特定の機能を起動するため、制御部２が判定信号ｃの出力に応じて起動する機能がより多様になる。
【００６５】
この状態検知部２２ａを利用したメール着信通知を示す場合の端末１２の処理の流れをフロー図１２に示して説明する。
【００６６】
なお、第１の実施の形態、及び第２の実施の形態では、判定信号ｃが出力されない場合には、（図６のステップ６１や図９のステップＳ９１の「Ｎｏ」の場合）特定の機能が起動されず、判定信号ｃの監視状態に戻ったが、この本発明の第３の実施の形態の端末１２のメール着信通知機能の制御では、フロー図１２のステップ１２１に図示されるように、判定信号ｃの出力がない場合も特定の機能を実行するトリガとする。
【００６７】
まず、制御部２は判定信号ｃの有無を監視する（ステップ１２１）。判定信号ｃが有る場合（ステップ１２１の「ｙｅｓ」）と、無い場合（ステップ１２１の「ｎｏ」）のいずれの状態でも、次に制御部２は検知信号ｄの内容を監視する。
【００６８】
ここで、もし判定信号ｃがあり（ステップ１２２ａ）、形態検知信号ｄが開状態を示し（ステップ１２３ａ）、状態検知部２２ａから待ちうけ状態を示す情報の通知があった場合は、制御部２２はメモリ２を参照し、主表示部６２ａにメール情報を表示する（ステップ１２４ａ）。
【００６９】
この一連の処理は、開状態の端末１２を操作する状態で保持している場合であると判断した上で実行される処理である。すなわち、判定信号ｃの出力により、ユーザが端末１２を視認可能に保持しているとみなされるために、メール着信が発生したときに直ちに視認可能にメール情報を表示する処理を行う。
【００７０】
また、判定信号ｃ（ｃ＝１）が出力され（ステップ１２２ａ）、端末１２が閉状態であることを示す形態検知信号ｄ（ｄ＝０）を受け（ステップ１２３ｂ）、状態検知部２２ａより、待受け状態であることを示す情報を通知している場合、制御部２２は、たとえ閉状態で待受けがなされていても、制御部２はメールを閲覧する状態が整っていると判断し、背面表示部６ｂにメール情報もしくはその一部を表示する（ステップ１２４ｃ）。
【００７１】
判定信号ｃを受けていない場合（ステップ１２２ｂ）、端末１２が閉状態であることを示す形態検知信号ｄを受けた（ステップ１２３ｄ）制御部２２は、端末１２がたとえば机上などに静置されていると判断し、表示部６２へのメール文の内容表示を行わない指示をする（ステップ１２４ｇ、またはステップ１２４ｈ）。
【００７２】
これにより、その場に居合わせた他者に、通常の着信時に表示されるメールタイトル、発信者などの情報を見られることがなくなる。
【００７３】
待ち受け状態を示すステップ１２４ａではメール情報を主表示部６２ａに表示するが、他の機能を実行中であるステップ１２４ｂでは、たとえ判定信号ｃが出力されている場合でも、主表示部６２ａにメール情報を表示せず、さらに着信音及びバイブレータの鳴動を行わない。
【００７４】
また前記形態検知信号ｄが閉状態ではなく開状態を示す信号の場合では、表示部表示は、背面表示部６２ｂではなく主表示部６２ａに代えて同様の処理を行う。
【００７５】
このように、本発明の第３の実施の形態の端末１２では、状態検知部２２ａの有無により、ユーザが現在、端末１２に対してどのような操作を行っているかを把握し、さらに判定信号ｃの有無によって、起動する機能を一部異ならせる設定を行うため、ユーザの操作性をさらに高めることが可能となる。
【００７６】
また、端末１２が放置されている場合に、避けたい情報内容の表示を行わない設定を考えているが、判定信号ｃ、形態検知信号ｄの信号内容と状態検知部２２ａで検知した端末１２の実行機能に関する情報は、特定の機能を実行するために、全ての情報を必要とせずに、信号出力がない場合に特定の機能を実行する設定にすることも可能である。
【００７７】
つまり、制御部２２は、判定信号ｃを受けることで、制御部２２に対して出力される信号の内容ばかりでなく、他の出力されていない信号の内容も、判定条件として図１１を参照の上、指示するべき制御内容を決定できる。
【００７８】
これらの設定条件、および起動させたい特定の機能は、端末設計者及び端末ユーザによって、自由に設定可能とする。
【００７９】
本発明の第３の実施の形態では、メール着信に対する処理の例を示したが、スケジュール通知イベントが発生した場合など、その他の情報を表示部６２に表示することも可能となる。
【００８０】
以上、本発明の第１乃至第３の実施の形態の傾斜信号を含む判定信号ｃを用いた携帯通信端末では、携帯通信端末を傾けた状態Ａかつ、静止させた状態Ｂにおいて、出力される判定信号ｃに基づいて、入力部への押下をせずにさまざまな機能を実現することが可能となる。
【００８１】
また、随時、傾斜角度が変化する端末において、相対的な傾斜角度として、第１の面からの傾きを検出可能な傾斜センサを用いるため、あらゆる姿勢で用いられる可能性のある携帯通信端末の諸機能を実行するための操作をより簡単にするものである。
【００８２】
この構成に、携帯通信端末の状態を示す他の複数の信号を組み合わせることでさまざまな状況に適した機能を実行することが可能となり、入力部の有するキー数及び入力部の小型化、しいては、携帯通信端末の小型化に有効な操作方法になり得る。
【図面の簡単な説明】
【００８３】
【図１】本発明の第１の実施の形態の携帯通信端末の電気的構成を示すブロック図である。
【図２】本発明の実施の形態の携帯通信端末を傾けた状態を示す図である。
【図３】本発明の実施の形態の携帯通信端末における傾斜センサと振動センサの出力信号の出力有無とそれに対応した判定信号の出力有無を示す図である。
【図４】本発明の実施の形態の携帯通信端末における判定信号ｃが出力されるフローを示すフロー図である。
【図５】本発明の第１の実施の形態の携帯通信端末のメモリの設定内容を示す図である。
【図６】本発明の第１の実施の形態の携帯通信端末が実行する機能を決定するためのフロー図である。
【図７】本発明の第２の実施の形態の携帯通信端末の電気的構成及び出力信号を示すブロック図である。
【図８】本発明の第２の実施の形態の携帯通信端末のメモリの設定内容を示す図である。
【図９】本発明の第２の実施の形態の携帯通信端末が実行する機能を決定するためのフロー図である。
【図１０】本発明の第３の実施の形態の携帯通信端末の電気的構成を示すブロック図である。
【図１１】本発明の第３の実施の形態の携帯通信端末のメモリの設定内容を示す図である。
【図１２】本発明の第３の実施の形態の携帯通信端末が実行する機能を決定するためのフロー図である。
【符号の説明】
【００８４】
１    携帯通信端末
１１    携帯通信端末
１２    携帯通信端末
２    制御部
２１    制御部
２２    制御部
２２ａ    状態検知部
３    通信部
３ａ    アンテナ
３１    通信部
３１ａ    アンテナ
３２    通信部
３２ａ    アンテナ
４    メモリ
４１    メモリ
４２    メモリ
５    入力部
５１    入力部
５２    入力部
６    表示部
６１    表示部
６１ａ    主表示部
６１ｂ    背面表示部
６２    表示部
６２ａ    主表示部
６２ｂ  背面表示部
７    バックライト
７１    バックライト
７１ａ    バックライト
７１ｂ    バックライト
８    センサ
８ａ    傾斜センサ
８ｂ    振動センサ
８１    センサ
８１ａ    傾斜センサ
８１ｂ    振動センサ
８１ｃ    形態検知センサ
８２    センサ
８２ａ    傾斜センサ
８２ｂ    振動センサ
８２ｃ    形態検知センサ
９    ＯＮ／ＯＦＦ判定部
９１    ＯＮ／ＯＦＦ判定部
９２    ＯＮ／ＯＦＦ判定部
【図１】
2007201787.tif 000003
【図２】
2007201787.tif 000004
【図３】
2007201787.tif 000005
【図４】
2007201787.tif 000006
【図５】
2007201787.tif 000007
【図６】
2007201787.tif 000008
【図７】
2007201787.tif 000009
【図８】
2007201787.tif 000010
【図９】
2007201787.tif 000011
【図１０】
2007201787.tif 000012
【図１１】
2007201787.tif 000013
【図１２】
2007201787.tif 000014